(57)【要約】【課題】  データ端末のカードスロットに無線ＬＡＮカードが挿入されている無線機器は、アクセスポイントが近隣で動作していない場合には、アクセスポイントを探索し続けてしまい無駄にバッテリを消耗させてしまう。【解決手段】  データ端末が無線ＬＡＮカードにパラメータ設定をすると、アクセスポイントへプローブリクエストを送信する。プローブレスポンスが受信できない場合は、アクセスポイントとの接続が不可能と判断し、データ端末は、無線ＬＡＮカードへの電源供給を停止する。これにより、無駄なバッテリ消費を防止する。【選択図】  図７
2005167693.tif 000002
【特許請求の範囲】
【請求項１】
データ端末機器と、前記データ端末より給電され、他の無線端末装置とのデータ通信を可能とする無線信号の送受機能を具備するカード型の無線機器と、が接続された無線装置において、
アクセスポイント装置との無線通信による接続が不可の場合には前記データ端末は前記カード型無線機器への給電を停止する手段を具備する事を特徴とする無線装置。
【請求項２】
請求項第１の無線装置において、
前記データ端末機器が接続された前記カード型の無線機器への給電を停止した際には、前記データ端末と前記カード型の無線機器との接続情報を保持する手段を具備する事を特徴とする無線装置。
【請求項３】
データ処理装置において、
無線信号の送受機能を具備する無線機器を接続する接続手段と、
アクセスポイント装置との無線通信による接続が不可の場合に、無線機器への給電を停止する手段を具備する事を特徴とするデータ処理装置。
【請求項４】
無線信号の送受機能を具備する無線機器を接続する接続手段を有するデータ処理装置の制御方法において、
アクセスポイント装置との無線通信による接続が可能か否か判別する判別工程と、
前記判別工程における判別に応じて、前記無線機器への給電を停止する工程を具備する事を特徴とするデータ処理装置の制御方法。
【発明の詳細な説明】
【技術分野】
【０００１】
本発明は、無線装置及びデータ処理装置、その制御方法に関する。
【背景技術】
【０００２】
従来より無線ＬＡＮシステムにおいては図１に示すような構成が利用されている。
【０００３】
図１の構成内容に関して説明すると、（１０１）はイーサネット（登録商標）ケーブル等の有線網である。
【０００４】
（１０２）は無線アクセスと有線網とのインターフェース機能や無線信号の送受信機能を有し、さらに無線信号制御等のファームウェアやＭＡＣアドレス認証機能を搭載するアクセスポイント（以後ＡＰ）である。
【０００５】
（１０３）は、図２に示すように例えば無線信号の送受信機能を有する無線ＬＡＮカード型アダプタ（２０２、以後ＷＬＡＮカード）を内蔵バッテリを電力源として動作するノートＰＣ等の携帯端末（２０１）のカードスロットに挿入させることで無線ＬＡＮ機能を実現させた無線端末装置（以後ＳＴＡ）である。
【０００６】
以上のような構成における無線通信システムにおいて、基本的な動作を図５のシーケンス図を基に説明する。
【０００７】
携帯端末（２０１）はＳＴＡ（１０３）として動作するために、ＷＬＡＮカード（２０２）をカードスロットにセットする。ＷＬＡＮカード（２０２）は携帯端末（２０１）の内蔵バッテリよりに電圧が供給され、起動する。携帯端末（２０２）はスロットに挿入されたＷＬＡＮカードの記憶部（３０２）からカードの駆動電源電圧、メーカ名、カード種別などを読出し、さらにこの読出し値を基にカード種別がＷＬＡＮカードであるを認識し、初期化処理を施し、アクセスポイント識別符号などのパラメータ設定後、動作指示をカードに与える事で無線ＬＡＮ機能を実現させる。
【０００８】
上記処理にてＳＴＡ（１０３）として動作可能になった携帯端末（２０１）は図５に示すシーケンスによってデータ通信が可能になる。詳細を説明すると、まず、ＳＴＡ（１０３）はＡＰ（１０２）の検索を開始する。その方法は、ＡＰ（１０２）が一定周期で送出している同報信号（ビーコン信号）（Ｓ５０１）を検索する方法、またはＳＴＡ（１０３）よりプローブ信号（ＡＰ探索信号）を送信し、ＡＰよりプローブ応答を受信する方法などがある。
【０００９】
ＡＰ（１０２）を検知したＳＴＡ（１０３）は、ＡＰ（１０２）にマネジメントフレームを送信してＡＰ（１０２）に対して認証確認、接続処理などのネゴシエーション処理を行う（Ｓ５０２）。
【００１０】
以後、ＳＴＡ（１０３）と接続先ＡＰ（１０２）は無線区間の通信が可能となるため、ＳＴＡ（１０３）はＡＰ（１０２）を介することで公衆網にアクセスしデータ通信（Ｓ５０３）を可能にしていた。
【特許文献１】特開平９−２３３２１８号公報
【発明の開示】
【発明が解決しようとする課題】
【００１１】
従来、図２に示すような構成でＳＴＡを構築する場合には、ＷＬＡＮカード（２０２）をカードスロットにセットされた携帯端末（２０１）は内蔵バッテリよりＷＬＡＮカード（２０２）に給電し、従来例にて述べた処理を実施し、ＷＬＡＮカードに対して動作を指示し、ＷＬＡＮカード（２０２）はＡＰを検知するためにプローブ要求の送信を開始する。
【００１２】
ここで先に設定したアクセスポイント識別子で動作しているＡＰがＳＴＡ近隣で動作していない場合には、ＳＴＡは探索中のＡＰからのプローブ応答を受信する事ができないため、ひたすらプローブ要求を送信し続けねばならない。この動作は携帯端末の内蔵バッテリを著しく消費させてしまう、内蔵バッテリの消耗を早めてしまう。
【００１３】
また、特許文献１のように、相手装置との電波状況が悪くなった場合に、パワーセーブモードに入ったとしても、一定時間ごとにＡＰにプローブ要求を送信するので、ＡＰがＳＴＡ近隣に存在しない場合は、無駄にバッテリの消耗してしまう。
【課題を解決するための手段】
【００１４】
本発明は、アクセスポイント装置との無線通信による接続が不可の場合には、接続する無線機器への給電を停止するようにするので、不必要なバッテリの消耗を防ぐ事ができる。
【発明の効果】
【００１５】
本発明によれば、アクセスポイント装置との間で無線通信による接続が電波状況などの理由により不可の場合には、携帯機器への給電を停止させることで不必要なバッテリの消耗を防ぐことができる。
【００１６】
また、携帯機器への給電を停止した際には、データ処理装置と無線機器との接続情報を保持することで、アクセスポイント装置との間で無線通信による接続が不可の状況から電波状況の変化などの理由により接続可能な状況に変化しても、速やかに無線通信による接続処理を実施することができる。
【発明を実施するための最良の形態】
【００１７】
（実施例）
図１に本発明の構成例を示し、構成内容に関して説明する。
【００１８】
（１０１）はイーサネット（登録商標）ケーブル等の有線網である。
【００１９】
（１０２）は無線アクセスと有線網とのインターフェース機能や無線信号の送受信機能を有し、さらに無線信号制御等のファームウェアやＭＡＣアドレス認証機能を搭載するアクセスポイント（以後ＡＰ）である。
【００２０】
（１０３）は、無線端末装置（以後ＳＴＡ）であり、図２に示すような内蔵バッテリで動作するノートＰＣ（２０１）のカードスロットに無線信号の送受信機能を有するカード型無線ＬＡＮアダプタ（２０２、以後ＷＬＡＮカード）をセットし、ノートＰＣ（２０１）にインストールされている無線ＬＡＮドライバでＷＬＡＮカード（２０２）を動作させる事で構成されている。
【００２１】
ＡＰ（１０２）はＳＴＡ（１０３）が既知で、動作を予定しているアクセスポイント識別子で動作している。
【００２２】
図３にＷＬＡＮカード（２０２）の構成を示す。
【００２３】
Ｉ／Ｆ処理部（３０１）はノートＰＣ、デジタルカメラなどの携帯型データ端末とのデータの送受、給電処理するインターフェース部である。
【００２４】
記憶部（３０２）はＷＬＡＮカード自身に関する情報を記憶する記憶部である。
【００２５】
データ処理部（３０３）は送信すべき情報を所定の送信データフォーマットに変換、または受信データより端末に渡す受信情報を抽出する。
【００２６】
変復調部（３０４）は送信データに変調を施し送信信号を生成し、受信信号に復調を施し受信データを抽出する。無線送受処理部（３０５）は送信信号を所定の周波数に変換し、増幅及びフィルタリングなどの処理を施し、無線送信信号を生成、または無線受信信号を所定の周波数に変換し、増幅及びフィルタリングなどの処理を施し受信信号を生成する。
【００２７】
アンテナ（３０６）は無線送受処理部（３０５）に生成された無線送信信号を送信、また無線信号を受信する。
【００２８】
図４に次にＷＬＡＮカードをセットするノートＰＣのカードスロット周辺の構成を示す。
【００２９】
カードスロット（４０１）はＷＬＡＮカード（２０２）をノートＰＣ（２０１）にセットし、接続するためのスロットである。
【００３０】
カードバスＩ／Ｆ（４０２）はカードコントローラ（４０３）とカードスロット（４０１）を介してＷＬＡＮカード（２０２）間のデータを送受するバスである。
【００３１】
カードコントローラ（４０３）はカードスロット（４０１）にセットされたＷＬＡＮカード（２０２）に適した給電の制御、カードバスＩ／Ｆ（４０２）の制御を行う。
【００３２】
カード挿抜監視部（４０４）はカードスロット（４０１）にカードが挿入されている状態か、または挿入状態のカードが抜き去られた状態か、一度抜き去られ、再度挿入された状態なのかを検知し、ノートＰＣ（２０１）に通知する機能部である。カード挿抜監視部（４０４）はカードスロット（４０１）のカードが動作していない時に機能し、カードが動作状態になった時にはリセットされる。
【００３３】
電源制御回路（４０５）はノートＰＣ（２０１）の内蔵バッテリより給電を受け、カードコントローラ（４０３）の指示にしたがってカードスロット（４０１）にセットされたＷＬＡＮカード（２０２）に適した給電を行う。
【００３４】
システムバスＩＦ（４０６）はカードコントローラ（４０３）とノートＰＣシステムバス（４０７）を介してノートＰＣ間とデータを送受するバスである。
【００３５】
ノートＰＣシステムバス（４０７）はノートＰＣ（２０１）とカードスロット周辺部とのインターフェースである。
【００３６】
以下に述べるＷＬＡＮカード（２０２）とノートＰＣ（２０１）とのデータ通信、またはノートＰＣによるＷＬＡＮカード（２０２）に対する制御はカードバスＩ／Ｆ（４０２）、カードコントローラ（４０３）、システムバスＩＦ（４０６）、ノートＰＣシステムバス（４０７）を介して行われる。
【００３７】
以上のような構成における無線通信システムにおいて、本発明の動作を図７のフローチャートを基に説明する。
【００３８】
ユーザーはノートＰＣ（２０１）をＳＴＡ（１０３）として動作させるためにＷＬＡＮカード（２０２）をカードスロット（４０１）にセットする（Ｓ７０１）。
【００３９】
ノートＰＣ（２０１）にＷＬＡＮカード（２０２）がセットするとカードコントローラ（４０３）はシステムバスＩ／Ｆ（４０６）、ノートＰＣシステムバス（４０７）を介してノートＰＣ（２０１）に、またカード挿抜検知部（４０４）にこの旨を通知する。
【００４０】
上記通知を受けたノートＰＣ（２０１）は内蔵バッテリより電源制御回路（４０５）を介して電圧をＷＬＡＮカード（２０２）へ供給する。
【００４１】
さらにノートＰＣ（２０１）はカードスロット（４０１）に挿入されたＷＬＡＮカード（２０２）の記憶部（３０２）からカードの駆動電源電圧、メーカ名、カード種別などＷＬＡＮカード（２０２）に関する情報を読出す（Ｓ７０２）。
【００４２】
ノートＰＣ（２０１）はカード種別がＷＬＡＮカードであることを認識するとインストールされている無線ＬＡＮドライバが起動し、初期化要求をＷＬＡＮカード（２０２）に送信する（Ｓ７０３）。
【００４３】
初期化要求を受信したＷＬＡＮカード（２０２）はカードの初期化処理を実施し、初期化応答をノートＰＣ（２０１）に応答する（Ｓ７０４）。
【００４４】
初期化応答を受信したノートＰＣ（２０１）は無線ＬＡＮの動作モード（インフラストラクチャ、アドホック）、認証モード（オープンシステム認証、シェアードキー認証）、アクセスポイント識別符号、動作チャネル、ＷＥＰ（Ｗｉｒｅｄ  Ｅｑｕｉｖａｌｅｎｔ  Ｐｒｉｖａｃｙ）などの無線ＬＡＮパラメータの設定をＷＬＡＮカード（２０２）に対して行う（Ｓ７０５）。
【００４５】
パラメータの設定を終了したノートＰＣ（２０１）はＷＬＡＮカード（２０２）は動作開始要求をＷＬＡＮカード（２０２）に送信し、動作開始を指示する（Ｓ７０６）。
【００４６】
動作開始要求を受信したＷＬＡＮカード（２０２）は動作を開始し、動作開始応答をノートＰＣ（２０１）に応答（Ｓ７０７）する。また先にパラメータ設定処理にて設定されたアクセスポイント識別子で動作するＡＰ（１０２）を探索する「Ｐｒｏｂｅ  Ｒｅｑ」の送信（Ｓ７０９）を開始する。
【００４７】
動作開始応答受信したノートＰＣ（２０１）はＷＬＡＮカード（２０２）とＡＰ（１０２）とのリンク接続を確認するための「リンク接続確認タイマー」を開始する（Ｓ７０８）。
【００４８】
ここで仮にＡＰ（１０２）が動作を停止、またはＳＴＡ（１０３）が移動したためＡＰ（１０２）からの電波が受信できないほど離れてしまったとする。ＳＴＡ（１０３）は先の動作開始処理によってＡＰ（１０２）を探索するべく「Ｐｒｏｂｅ  Ｒｅｑ」の送信を繰り返すが（Ｓ７０９〜Ｓ７１１）、先に述べた理由によりこの「Ｐｒｏｂｅ  Ｒｅｑ」はＡＰ（１０２）では受信できない。従ってＳＴＡ（１０３）はＡＰ（１０２）からの「Ｐｒｏｂｅ  Ｒｅｓ」を受信する事はできないためリンクを接続する事は不可能である。
【００４９】
ＷＬＡＮカード（２０２）が「Ｐｒｏｂｅ  Ｒｅｑ」を繰り返し再送し、ノートＰＣ（２０１）にてリンク接続が確立できずにいると、「リンク接続確認タイマー」が終了する（Ｓ７１２）。
【００５０】
「リンク接続確認タイマー」が終了した場合、ノートＰＣ（２０１）はＷＬＡＮカード（２０２）にて「Ｐｒｏｂｅ  Ｒｅｓ」が受信できない、または接続シーケンスがスムーズに移行されなかったなどの理由によりリンク接続に失敗したと判断し、その旨をユーザーに通知する（Ｓ７１３）。さらにノートＰＣはカードコントローラ（４０３）に対してＷＬＡＮカード（２０２）に対する給電を停止するよう指示を出す（Ｓ７１４）。指示を受けたカードコントローラ（４０３）は電源制御回路（４０５）にカードスロット（４０１）にセットされたＷＬＡＮカード（２０２）に対して給電を停止するよう通知しＷＬＡＮカード（２０１）への給電は停止される。
【００５１】
カード挿抜監視部（４０４）はカードスロット（４０１）に動作していないＷＬＡＮカード（２０１）が挿入された状態であることを検知し、この情報を保持する。
【００５２】
上記処理後、ＳＴＡ（１０３）が移動したなどの理由により、電波環境に変化が生じたいとする。ユーザーは再度リンク接続処理を試みるべくリンク接続要求をノートＰＣ（２０１）より実施する（Ｓ７１５）。
【００５３】
ノートＰＣ（２０１）はカード挿抜監視部（４０４）に対して、カードスロット（４０１）のＷＬＡＮカード（２０２）が「挿入されたままの状態」、「抜き去られた状態」、「一度抜き去られ再度挿入された状態」のいずれの状態なのかを確認する。
【００５４】
「抜き去られた状態」である場合はユーザーに現在カードスロット（４０１）にはＷＬＡＮカード（２０２）が存在しない旨を通知する。
【００５５】
「一度抜き去られ再度挿入された状態」である場合は、異なるカードが挿入された場合も考えられるため再度「記憶部からの情報の読出し（Ｓ７０２）」より処理を開始する。
【００５６】
「挿入されたままの状態」である場合はユーザーが無線ＬＡＮパラメータを更新している可能性が考えられるため、「初期化要求送信（Ｓ６１６）」より処理を開始する。
【００５７】
ここではカード挿抜監視部（４０４）で保持されている状態が「挿入されたままの状態」であるとする。ノートＰＣ（２０１）はＷＬＡＮカード（２０１）に初期化要求を送信し（Ｓ７１６）、先に述べた処理と同様に無線ＬＡＮパラメータ設定処理、動作開始処理、「Ｐｒｏｂｅ  Ｒｅｑ」の送信、リンク接続タイマー開始、処理を実施する（Ｓ７１７〜Ｓ７２２）。
【００５８】
ＳＴＡ（１０３）は移動したことでＡＰ（１０２）の制御圏内に入ったため、ＡＰ（１０２）はＳＴＡ（１０３）からの「Ｐｒｏｂｅ  Ｒｅｑ」を受信し、「Ｐｒｏｂｅ  Ｒｅｓ」を送信する（Ｓ７２３）。ＡＰ（１０２）を検知したＳＴＡ（１０３）はＡＰ（１０２）にマネジメントフレームを送信してＡＰ（１０２）に対して認証確認、接続処理などのネゴシエーション処理を行い、リンクの接続を行う（Ｓ７２４）。
【００５９】
リンク接続に成功したＷＬＡＮカード（２０２）はノートＰＣ（２０１）にリンク接続通知を送信し、その旨を通知し（Ｓ７２５）、リンク接続確認タイマーを停止する。（Ｓ７２６）
ノートＰＣ（２０１）はリンクが確立された旨をユーザーに通知し（Ｓ７２７）、ユーザーはこれを受けてデータ通信が可能となる（Ｓ７２８）。
【００６０】
以上の処理により、ＷＬＡＮカード（２０２）が接続ＡＰ（１０２）を検知できない場合はノートＰＣ（２０１）からＷＬＡＮカード（２０２）への給電を停止する事でノートＰＣ（２０１）の内蔵バッテリのセーブを可能とする。更にはＡＰ（１０２）が検知された場合には速やかにリンクの接続を可能とする。
【図面の簡単な説明】
【００６１】
【図１】無線通信システム構成図
【図２】ＳＴＡ構成図
【図３】無線ＬＡＮカードアダプタブロック図
【図４】本発明の携帯端末のカードスロット周辺ブロック図
【図５】従来の無線通信シーケンス図１
【図６】従来の無線通信シーケンス図２
【図７】本発明の無線ＬＡＮシステムシーケンス図
【図１】
2005167693.tif 000003
【図２】
2005167693.tif 000004
【図３】
2005167693.tif 000005
【図４】
2005167693.tif 000006
【図５】
2005167693.tif 000007
【図６】
2005167693.tif 000008
【図７】
2005167693.tif 000009